(57)【特許請求の範囲】
【請求項１】
コンマ型ナイフコーティング装置において、ナイフロールのナイフ部の裏面に、ナイフ先端に平行な溝部を設け、この溝部上に平行移動可能なノズル先端を有する吸引装置を取り付けたことを特徴とするコーティング装置。
【請求項２】
請求項１に記載の吸引装置のノズル先端が、ナイフ部の裏面に設けられた溝部の上端又は下端に当接して移動することを特徴とするコーティング装置。
【発明の詳細な説明】
【０００１】
【産業上の利用分野】
本発明は、例えば、壁紙原反を製造するために、裏打紙に塩化ビニル樹脂ペーストをコーティングするコンマ型ナイフを用いたコーティング装置に関するものである。
【０００２】
【従来の技術】
裏打紙に塩化ビニル樹脂ペーストをコーティングする方法としては、コンマ型ナイフを用いたコーティング装置が、一般的に使用されているが、連続運転時にナイフロールのナイフ部裏面に、塩化ビニル樹脂ペーストコーティング層から脱離した組成物が付着し、この付着した脱離組成物が徐徐に上昇して、ナイフ部裏側の切欠き部の奥上隅部に堆積し、この堆積した脱離組成物の塊が不定時にコーティング面に落下して、壁紙原反の品質を損なうことがあった。このため、従来では、図２（ａ）及び（ｂ）に示すように、コンマ型ナイフコーティング装置（２００）のナイフロール（２１０）のナイフ部（２１１）の裏面に、吸引管本体（２４１）の下端に吸引スリット（２４２）を設けた吸引管（２４０）を付設して、塩化ビニル樹脂ペーストコーティング層（２１）からの脱離組成物を吸引して除去するか、図３（ａ）及び（ｂ）に示すように、コンマ型ナイフコーティング装置（３００）のナイフロール（３１０）のナイフ部（３１１）の裏面に、ワイパー（３４０）を常時左右に摺動して、ワイパー本体（３４１）の先端部（３４２）でナイフ部（３１１）の裏面に付着堆積する塩化ビニル樹脂ペーストコーティング層（２１）からの脱離組成物を、掻き落としていた。
【０００３】
【発明が解決しようとする課題】
しかしながら、前述の吸引管による方法では、吸引スリットが塩化ビニル樹脂ペーストコーティング層からの離脱組成物によって詰まったり、吸引管外面に付着した脱離組成物が、さらに堆積上昇して、図２に示すナイフ部（２１１）裏面の切欠き部（２３０）の奥上隅部（２３１）に溜まって、この付着した脱離組成物の塊が不定時にコーティング層（２１）上に落下することがあった。また、ワイパーによる方法でも、同様にワイパー外面に付着した脱離組成物が、堆積上昇して、図３に示すナイフ部（３１１）裏側の切欠き部（３３０）の奥上隅部（３３１）に溜まり、この脱離組成物の塊がコーティング層（２１）上に落下することがあった。本発明は、上述の脱離組成物の塊がコーティング層上に落下して壁紙原反の品質を損なう従来の問題を解決したものであり、ナイフ部裏側の切欠き部の奥上隅部への脱離組成物の付着堆積を避けて、壁紙原反の品質を損なうことがないコーティング装置を提供するものである。
【０００４】
【課題を解決するための手段】
第１の発明は、コンマ型ナイフコーティング装置において、図１（ａ）及び（ｂ）に示すように、ナイフロールのナイフ部の裏面に、ナイフ先端に平行な溝部を設け、この溝部上に平行移動可能なノズル先端を有する吸引装置を取り付けたことを特徴とするコーティング装置である。
【０００５】
第２の発明は、第１の発明に記載の吸引装置のノズル先端が、ナイフ部の裏面に設けられた溝部の上端又は下端に当接して移動することを特徴とするコーティング装置である。
【０００６】
上述の溝部の幅寸法や形状、また、ノズルの口径寸法は、目的に応じて定めるものである。
【０００７】
また、溝部の位置は、ナイフ部の裏面の上端とナイフ先端との間に、目的に応じた位置に設ければよい。
【０００８】
さらに、ノズル先端の移動は、左右方向へ連続的に又は断続的に移動するものである。
【０００９】
【作用】
本発明のコンマ型ナイフコーティング装置（１００）においては、図１（ａ）及び（ｂ）に示すように、ナイフロール（１１０）のナイフ部（１１１）の裏面に、ナイフ先端（１１２）と平行な溝部（１４０）が設けられ、この溝部（１４０）上に、平行にノズル先端（１５１）が移動する吸引装置（１５０）が取り付けてあるため、塩化ビニル樹脂ペーストコーティング層からナイフ部の裏面へ堆積上昇した離脱組成物（２２）は、溝部（１４０）に溜まって、堆積上昇が止まる。この溝部（１４０）に溜まった離脱組成物（２２）は、溝部（１４０）上を移動する吸引装置（１５０）のノズル先端（１５１）から吸引されて逐次除去されされるので、溝部（１４０）より上に離脱組成物（２２）が堆積上昇することが阻まれ、前述した従来の装置のように、ナイフロール（１１０）のナイフ部（１１１）の裏面の切欠き部（１３０）の奥上隅部（１３１）に離脱組成物（２２）が堆積して、その塊がコーティング層（２１）上に落下するようなことはない。なお、従来の前述した吸引スリットのように、広い範囲に堆積する離脱組成物を、同時に除去するのとは異なり、吸引ノズルで部分的に順次吸引除去して行くため、ノズルが離脱組成物で詰まることは、極めて少ない。
【００１０】
また、第２の発明の装置においては、吸引装置のノズル先端が、ナイフロールのナイフ部の裏面に設けられた溝部の上端又は下端を、ガイドとして当接しながら移動するため、ノズルの作動が安定化する。
【００１１】
【実施例】
まず、図１（ａ）及び（ｂ）に示すように、コンマ型ナイフコーティング装置（１００）のナイフロール（１１０）のナイフ部（１１１）の裏面に、ナイフ先端（１１２）に平行な幅６ｍｍの半円状の溝部（１４０）を設け、この溝部上（１４０）に平行に口径がΦ１ｍｍのノズル先端（１５１）が、溝部の上端に当接して移動するようにした吸引装置（１５０）を取り付けた。
【００１２】
次に、この本実施例のコンマ型ナイフコーティング装置（１００）を用いて、図１（ａ）に示すように、塩化ビニル樹脂が３０ｗｔ％でその他の可塑材、安定剤、充填剤そして着色剤が７０ｗｔ％の塩化ビニル樹脂ペースト（２０）を、坪量８０ｇ／ｍ２  の難燃裏打紙（１０）に、常温、コーティングスピード１２０ｍ／分の条件で、１５０μｍ厚でコーティング層（２１）を形成して、熱風オーブンで乾燥し、壁紙原反（３０）を１０００ｍ作製した。なお、吸引ノズルの移動は、低速で左右方向に連続的に行った。この製造中では、ナイフ部裏面に付着堆積した塩化ビニル樹脂ペーストコーティング層からの脱離組成物の落下による壁紙原反の品質を損なうようなトラブルは、全く発生しなかった。
【００１３】
【発明の効果】
本発明のコンマ型ナイフコーティング装置を用いて、塩化ビニル樹脂ペーストをコーティングして壁紙原反を製造すると、ナイフロールのナイフ部の裏面を塩化ビニル樹脂ペーストコーティング層から堆積上昇した脱離組成物が、ナイフ部の裏面に設けられたナイフ先端と平行な溝部に溜まり、この溝部に溜まった脱離組成物が、溝部に平行に移動する吸引装置のノズルで順次吸引除去されるので、溝部より上への脱離組成物の堆積上昇が阻まれるため、従来の装置のようにナイフロールのナイフ部の裏面の切欠き部の奥上隅部に脱離組成物が付着堆積して、この脱離組成物の塊が、製造中の不定時にコーティング面に落下して、壁紙原反の品質を損なうようなことがない。しかも、本発明に伴う工事は、大掛かりなものを必要としない。
【図面の簡単な説明】
【図１】（ａ）は、本発明の一実施例のコンマ型ナイフコーティング装置の部分断面図であり、（ｂ）は、この装置のナイフロールのナイフ部を裏面から見た斜視図である。
【図２】（ａ）は、一従来例のコンマ型ナイフコーティング装置の部分断面図であり、（ｂ）は、この装置の吸引管の説明図である。
【図３】（ａ）は、他の一従来例のコンマ型ナイフコーティング装置の部分断面図であり、（ｂ）は、この装置のワイパーの説明図である。
【符号の説明】
１０……裏打紙
２０……塩化ビニル樹脂ペースト
２１……コーティング層
２２……離脱組成物
３０……壁紙原反
１００，２００，３００……コンマ型ナイフコーティング装置
１１０，２１０，３１０……ナイフロール
１１１，２１１，３１１……ナイフ部
１１２……ナイフ先端
１２０，２２０，３２０……バックアップロール
１３０，２３０，３３０……切欠き部
１３１，２３１，３３１……奥上隅部
１４０……溝部
１５０……吸引装置
１５１……ノズル先端
２４１……吸引管本体
２４２……吸引スリット
３４０……ワイパー
３４１……ワイパー本体
３４２……先端
【図１】
0003598537.tif 000002
【図２】
0003598537.tif 000003
【図３】
0003598537.tif 000004